(57)【要約】      （修正有）【課題】アンカーボルトや重量のあるコンクリート製の基礎などを用いなくとも、太陽光発電パネル用架台を風に飛ばされにくい状態で屋上スラブなどの上面に対して強固に固定することが可能な太陽光発電パネル用架台の施工方法を提供する。【解決手段】建築物１００の屋上又はベランダに所定間隔を隔てて設けられた前後一対の縦壁部１２０の間に突っ張り梁材３０を配し、その前端部３１ａを前側の縦壁部１２０の内面に当接させて、その後端部３２ａを後側の縦壁部１２０の内面に当接させることにより、突っ張り梁材３０を前後一対の縦壁部１２０の間で水平方向に突っ張った状態に施工する突っ張り梁材施工工程と、突っ張り梁材施工工程で施工された突っ張り梁材３０に対して太陽光発電パネル用架台２０における支柱２１を連結する支柱連結工程とを経ることにより、太陽光発電パネル用架台２０を建築物１００の屋上又はベランダに施工する。【選択図】図１
2014025210.tif 000002
【特許請求の範囲】
【請求項１】
太陽光発電パネルを支持する太陽光発電パネル用架台を建築物の屋上又はベランダに施工するための太陽光発電パネル用架台の施工方法であって、
建築物の屋上又はベランダに所定間隔を隔てて設けられた前後一対の縦壁部の間に突っ張り梁材を配し、突っ張り梁材の前端部を前側の縦壁部の内面に当接させて、突っ張り梁材の後端部を後側の縦壁部の内面に当接させることにより、突っ張り梁材を前後一対の縦壁部の間で水平方向に突っ張った状態に施工する突っ張り梁材施工工程と、
突っ張り梁材施工工程で施工された突っ張り梁材に対して太陽光発電パネル用架台における支柱を連結する支柱連結工程と
を経ることを特徴とする太陽光発電パネル用架台の施工方法。
【請求項２】
突っ張り梁材として、
その前端部が前側の縦壁部の内面に当接される第一梁材と、
その後端部が後側の縦壁部の内面に当接される第二梁材と、
第一梁材と第二梁材との間に介在されて第一梁材及び第二梁材を相対的に前後に離反する方向に移動させて突っ張り梁材を伸長させる突っ張り梁材伸長手段と
で構成されたものを用いる請求項１記載の太陽光発電パネル用架台の施工方法。
【請求項３】
突っ張り梁材伸長手段として、ねじ機構、歯車機構若しくは流体圧機構、若しくはこれらを結合した機構、又はこれらとリンク機構を結合した機構からなるものを用いる請求項２記載の太陽光発電パネル用架台の施工方法。
【請求項４】
建築物の屋上上面又はベランダ上面に対する太陽光発電パネル用架台における支柱の下端部の固定は、建築物の屋上上面又はベランダ上面に穴を開けることなく行う請求項１〜３いずれか記載の太陽光発電パネル用架台の施工方法。
【請求項５】
建築物の屋上上面又はベランダ上面に対する太陽光発電パネル用架台における支柱の下端部の固定は、接着剤を用いて行う請求項４記載の太陽光発電パネル用架台の施工方法。
【請求項６】
前側の縦壁部の内面に対する突っ張り梁材の前端部の固定、及び／又は後側の縦壁部の内面に対する突っ張り梁材の後端部の固定は、接着剤を用いて行う請求項１〜５いずれか記載の太陽光発電パネル用架台の施工方法。
【請求項７】
前後一対の縦壁部が、建築物の屋上又はベランダに設けられたパラペットである請求項１〜６いずれか記載の太陽光発電パネル用架台の施工方法。
【発明の詳細な説明】
【技術分野】
【０００１】
本発明は、太陽光発電パネルを支持する太陽光発電パネル用架台を建築物の屋上又はベランダに施工するための太陽光発電パネル用架台の施工方法に関する。
【背景技術】
【０００２】
太陽光発電パネル用架台をビルなどの屋上に施工する方法としては、図５に示すように、太陽光発電パネル用架台２０の支柱２１の下端部にコンクリート製の基礎２４を設け、図６に示すように、基礎２４に埋設されたアンカーボルト２５，２６を介して太陽光発電パネル用架台２０を屋上スラブ１１０に固定する方法が一般的となっている。図５は、従来の太陽光発電パネル用架台２０の施工方法によって建築物の屋上に太陽光発電パネル用架台２０を施工した状態を示した図である。図６は、従来の太陽光発電パネル用架台２０の施工方法によって建築物の屋上に施工された太陽光発電パネル用架台２０における支柱２１の下端部周辺を拡大した断面図である。しかし、この従来の施工方法では、アンカーボルト２５を打ち込む際に、屋上スラブ１１０の上面（防水層）に穴を開ける必要があったため、その部分から雨漏りが発生したり、屋上スラブ１１０の劣化が進んだりするおそれがあった。
【０００３】
加えて、緯度のある地域においては、太陽光発電パネル用架台２０に対して太陽光発電パネル１０を傾斜した状態に固定するのが一般的であるため、図５に示すように、太陽光発電パネル１０の後方から風Ｗが吹き付けた際には、太陽光発電パネル用架台２０には上向きの揚力Ｆが発生するようになる。このため、風Ｗが後方から吹き付けた際の太陽光発電パネル用架台２０には、前側の支柱２１の下端部近傍の点Ｐを支点として、後側の支柱２１が浮き上がる向きのモーメント荷重が掛かるようになる。特に、前後一対の支柱２１で太陽光発電パネル１０を支持する従来の太陽光発電パネル用架台２０にあっては、後側の支柱２１の下端部近傍の点Ｑには、テコの原理によって増大された上向きの力が局所的に掛かかりやすく、風Ｗが強まると、図７に示すように、後側の支柱２１の下端部が屋上スラブ１１０から引き抜かれて太陽光発電パネル用架台２０が飛ばされるおそれもあった。図７は、従来の太陽光発電パネル用架台２０の施工方法によって建築物の屋上に施工された太陽光発電パネル用架台２０が風にあおられて浮き上がった状態を示した図である。
【０００４】
従来の施工方法で施工された太陽光発電パネル用架台２０において、強い風Ｗにあおられても太陽光発電パネル用架台２０が浮き上がらないようにするためには、支柱２１の本数を増やすか、基礎２４の重量を大きくする必要がある。しかし、支柱２１の本数を増やすと、施工コストが増大するだけでなく、その分、屋上スラブ１１０に穴を開ける箇所も多くなり、さらに雨漏りが発生しやすくなる。一方、基礎２４の重量を大きくするのも、ビルの耐荷重などの関係で難しい場合があるし、大量のコンクリートを使用する分、施工の手間やコストが増大するおそれもある。
【０００５】
ところで、これまでには、風にあおられても浮き上がらないようにすることを目的とした太陽光発電パネル用架台として、例えば、特許文献１〜３のものが提案されている。このうち、特許文献１の太陽光発電パネル用架台（太陽電池パネル支持構造）は、太陽光発電パネル（太陽電池パネル）を高い位置で支持することで、太陽光発電パネルの下側の風通しを良くするとともに、太陽光発電パネル用架台の底部にコンクリートブロックなどの重量物を載せることで、上記目的を達成するものとなっている。しかし、太陽光発電パネルを高い位置で支持すると、太陽光発電パネルの施工が困難になるし、太陽光発電パネル用架台の安定性が低下して、転倒しやすくなるおそれがある。加えて、コンクリートブロックなどの重量物を載せることは、上述したように、ビルの耐荷重などの関係で難しい場合があるし、大量のコンクリートを使用する分、施工の手間やコストが増大するおそれもある。
【０００６】
また、引用文献２の太陽光発電パネル用架台（太陽電池架台）は、太陽光発電パネル（太陽電池パネル）を支持する支柱（脚部）間の外周部を覆うように保護板を設けることにより、太陽光発電パネルの下側に風が入り込まないようにして、上記目的を達成するものとなっている。しかし、引用文献２の太陽光発電パネル用架台は、上向きの揚力は発生しにくい構造となっているものの、横からの風を受けやすい構造となっている。このため、引用文献２の太陽光発電パネル用架台でも、支柱の本数を増やすか、その重量を増大するかなどの別の対策を施さなければならず、上述した問題が発生する。加えて、保護板を使用する分、そのコストが増大するという問題もある。
【０００７】
さらに、引用文献３の太陽光発電パネル用架台（太陽光発電装置）は、後方に配された太陽光発電パネル（太陽電池パネル）の下側に、太陽光発電パネルとは逆向きの傾斜で風圧反力板を設けるとともに、その風圧反力板の上端側に風抜け用のスロット孔を設け、風が後方から吹き付けた際に太陽光発電パネル用架台に発生する揚力を減少させることにより、上記目的を達成するものとなっている。しかし、引用文献３の太陽光発電パネル用架台において、後方から風が吹き付けた際の浮き上がりを防止しようとすると、スロット孔（前方に配された太陽光発電パネルの上縁と後方に配された太陽光発電パネルの下縁との隙間）を広く確保しなければならず、太陽光発電パネルを効率的に配置できなくなる。加えて、引用文献３の太陽光発電パネル用架台は、風が前方から吹き付けた際に前側が浮き上がるモーメント荷重がかかりやすく、後方に転倒しやすい構造となっている。このため、引用文献３の太陽光発電パネル用架台でも、支柱の本数を増やすか、その重量を増大するかなどの別の対策を施さなければならず、上述した問題が発生する。
【先行技術文献】
【特許文献】
【０００８】
【特許文献１】特開２０１２−０５４４４３号公報
【特許文献２】特開平０８−２７４３６４号公報
【特許文献３】特開２０１１−０８２２７３号公報
【発明の概要】
【発明が解決しようとする課題】
【０００９】
本発明は、上記課題を解決するためになされたものであり、アンカーボルトや重量のあるコンクリート製の基礎などを使用することなく、強い風（特に後方から強い風）を受けた場合であってもその後側が浮き上がりにくく風に飛ばされにくい状態で、太陽光発電パネル用架台を施工面に対して強固に固定することができる太陽光発電パネル用架台の施工方法を提供するものである。また、施工が容易で工期を短縮することができ、施工コストを削減することも可能な太陽光発電パネル用架台の施工方法を提供することも本発明の目的である。
【課題を解決するための手段】
【００１０】
上記課題は、
太陽光発電パネルを支持する太陽光発電パネル用架台を建築物の屋上又はベランダに施工するための太陽光発電パネル用架台の施工方法であって、
建築物の屋上又はベランダに所定間隔を隔てて設けられた前後一対の縦壁部の間に突っ張り梁材を配し、突っ張り梁材の前端部を前側の縦壁部の内面（後向き面）に当接させて、突っ張り梁材の後端部を後側の縦壁部の内面（前向き面）に当接させることにより、突っ張り梁材を前後一対の縦壁部の間で水平方向に突っ張った状態に施工する突っ張り梁材施工工程と、
突っ張り梁材施工工程で施工された突っ張り梁材に対して太陽光発電パネル用架台における支柱を連結する支柱連結工程と
を経ることを特徴とする太陽光発電パネル用架台の施工方法
を提供することによって解決される。
【００１１】
ここで、「前後一対の縦壁部」、「突っ張り梁材の前端部」、「前側の縦壁部」、「突っ張り梁材の後端部」又は「後側の縦壁部」などにおける「前」又は「後」という語句は、太陽光発電パネル用架台の向きを基準として定義している。すなわち、太陽光発電パネル用架台は、太陽光発煙パネルを傾斜した状態に支持するために、その一方が低く他方が高くなった構造となっているが、太陽光発電パネル用架台における低くなった側を「前」、高くなった側を「後」としている。太陽光発電パネルの発電効率を考慮すると、北半球においては、太陽光発電パネル用架台の前側が南側となるように施工（南向きに施工）することが好ましいが、本発明の施工方法は、太陽光発電パネル用架台を南向きに施工する場合に限定されず、他の方角に向けて施工してもよい。建築物の建てられた向きや、建築物の周囲の環境などの影響で、太陽光発電パネル用架台を南向きに施工することが困難な場合もあるからである。
【００１２】
本発明の施工方法は、太陽光発電パネル用架台における支柱の下端部を施工面（屋上スラブの上面など）に対して固定することにより太陽光発電パネル用架台を固定するのではなく、建築物の屋上などに所定間隔を隔てて設けられた前後一対の縦壁部（パラペットなど）の間で突っ張った状態に固定された突っ張り梁材に対して支柱を固定することにより太陽光発電パネル用架台を固定するものとなっている。このため、アンカーボルトを使用しなくても、太陽光発電パネル用架台を施工面に対して固定することができ、施工面に穴を開ける必要がないので、雨漏りの発生を防止することができる。また、施工後の太陽光発電パネル用架台の後方から風が吹き付けた際に発生する前側の支柱の下端部近傍を支点としたモーメント荷重に対しては、水平方向に配された突っ張り梁材で抗うことが可能になるので、太陽光発電パネル用架台の後側の浮き上がりを防止することも可能になる。したがって、太陽光発電パネル用架台を風で飛ばされにくくすることもできる。さらに、重量のあるコンクリート製の基礎などを使用する必要もないので、耐荷重にあまり余裕のない建築物の屋上やベランダに対しても太陽光発電パネル用架台を施工することが可能になる。さらにまた、施工が容易であるので、工期を短縮し、施工コストを大幅に削減することも可能である。条件によっては、コンクリート製の基礎を用いる従来の施工方法と比較して、工期や施工コストを１０分の１程度まで短縮又は削減することも可能である。
【００１３】
本発明の施工方法において、突っ張り梁材は、前後一対の縦壁部の間で突っ張った状態で固定できるものであれば、その具体的な構造は特に限定されないが、その前端部が前側の縦壁部の内面に当接される第一梁材と、その後端部が後側の縦壁部の内面に当接される第二梁材と、第一梁材と第二梁材との間に介在されて第一梁材及び第二梁材を相対的に前後に離反する方向に移動させて突っ張り梁材を伸長させる突っ張り梁材伸長手段とで構成されたものを用いると好ましい。これにより、前後一対の縦壁部の間隔に応じて、突っ張り梁材の全体の長さを施工現場で容易に調節することが可能になる。したがって、様々な施工条件において、本発明の施工方法を採用することが可能になる。
【００１４】
また、本発明の施工方法において、突っ張り梁材伸長手段は、第一梁材及び第二梁材を相対的に前後に離反する方向に移動させることができるものであれば、その具体的な構造は特に限定されない。突っ張り梁材伸長手段としては、ねじ機構、歯車機構若しくは流体圧機構（油圧機構など）、若しくはこれらを結合した機構、又はこれらとリンク機構を結合した機構からなるものを用いるものが例示される。ねじ機構を採用した突っ張り梁材伸長手段としては、例えば、第一梁材及び第二梁材に対して同軸に配されて、その前端部を第一梁材の後端部に対して螺合されてその後端部を第二梁材の前端部に対して螺合若しくは固定された、又は、その前端部を第一梁材の後端部に対して固定されてその後端部を第二梁材の前端部に対して螺合されたねじ部材と、ねじ部材をその軸周りに回動操作するための操作部材とを備え、操作部材でねじ部材を回動操作することにより、第一梁材又は第二梁材がねじ部材から送り出される機構のものが挙げられる。また、歯車機構を用いた突っ張り梁材伸長手段としては、第一梁材の後端部又は第二梁材の前端部に固定されたラチェットと、ラチェットに噛合された歯車と、歯車を回動操作するための操作部材と、歯車の回動を形成するためのロック部材とを備えたものが例示される。さらに、流体圧機構を用いた突っ張り梁材としては、第一梁材の後端部と第二梁材の前端部とを第一梁材及び第二梁材に対して同軸に連結する油圧シリンダと、油圧シリンダを操作するための操作部材とを備えたものが例示される。これらの機構は適宜組み合わせることもできる。さらに、これらの機構をリンク機構と結合したものとしては、ねじ式ジャッキや油圧式ジャッキなどが例示される。
【００１５】
さらに、本発明の施工方法において、施工面（建築物の屋上上面又はベランダ上面）に対する太陽光発電パネル用架台における支柱の下端部の固定方法は、特に限定されないが、上述したように雨漏りを防止するためには、建築物の屋上上面又はベランダ上面（施工面）に穴を開けることなく行うと好ましい。本発明の施工方法では、主に突っ張り梁材が太陽光発電パネル用架台の固定に寄与しているため、太陽光発電パネル用架台における支柱の下端部は、施工面に対して特に固定する必要はない。しかし、太陽光発電パネル用架台を施工面に対してより強固に固定することを考慮すると、施工面に対する太陽光発電パネル用架台における支柱の下端部の固定は、接着剤を用いて行うと好ましい。同様に、本発明の施工方法において、前側の縦壁部の内面に対する突っ張り梁材の前端部の固定、及び／又は後側の縦壁部の内面に対する突っ張り梁材の後端部の固定方法も特に限定されないが、接着剤を用いて行うと好ましい。ただし、突っ張り梁材の前端部及び後端部は、建築物の雨漏りに対して影響を及ぼす屋上スラブなどではなく、建築物の雨漏りに直接的に悪影響を及ぼさない縦壁部に対して固定するので、必要に応じてボルトなどを用いもよい。
【００１６】
ところで、本発明の施工方法において、建築物の屋上又はベランダに所定間隔を隔てて設けられた前後一対の縦壁部としては、パラペットや塀や外壁などが例示される。前後一対の縦壁部には、突っ張り梁材の突っ張り力に耐え得る強度が要求されるので、鉄筋コンクリート造のものであると好ましい。鉄筋コンクリート造の建築物（ビルなど）の屋上やベランダには、通常、鉄筋コンクリート造のパラペットが設けられている。また、パラペットは、高さが低く厚みもあるので、強度に優れている。このため、前後一対の縦壁部としては、建築物の屋上又はベランダに設けられたパラペットを好適に利用することができる。
【発明の効果】
【００１７】
以上のように、本発明によって、アンカーボルトや重量のあるコンクリート製の基礎などを使用することなく、強い風（特に後方から強い風）を受けた場合であってもその後側が浮き上がりにくく風に飛ばされにくい状態で、太陽光発電パネル用架台を施工面に対して強固に固定することができる太陽光発電パネル用架台の施工方法を提供することが可能になる。また、施工が容易で工期を短縮することができ、施工コストを削減することも可能な太陽光発電パネル用架台の施工方法を提供することも可能になる。
【図面の簡単な説明】
【００１８】
【図１】本発明の太陽光発電パネル用架台の施工方法によって建築物の屋上に太陽光発電パネル用架台を施工した状態を示した図である。
【図２】本発明における他の実施態様の太陽光発電パネル用架台の施工方法によって建築物の屋上に太陽光発電パネル用架台を施工した状態を示した図である。
【図３】本発明におけるさらに別の実施態様の太陽光発電パネル用架台の施工方法によって建築物の屋上に太陽光発電パネル用架台を施工した状態を示した図である。
【図４】本発明の太陽光発電パネル用架台の施工方法において、前後方向以外にも突っ張り用梁材を配した例を示した平面図である。
【図５】従来の太陽光発電パネル用架台の施工方法によって建築物の屋上に太陽光発電パネル用架台を施工した状態を示した図である。
【図６】従来の太陽光発電パネル用架台の施工方法によって建築物の屋上に施工された太陽光発電パネル用架台における支柱の下端部周辺を拡大した断面図である。
【図７】従来の太陽光発電パネル用架台の施工方法によって建築物の屋上に施工された太陽光発電パネル用架台が風にあおられて浮き上がった状態を示した図である。
【発明を実施するための形態】
【００１９】
１．本発明の太陽光発電パネル用架台の施工方法の概要
以下、本発明の太陽光発電パネル用架台の施工方法の好適な実施態様について、図面を用いてより具体的に説明する。図１は、本発明の太陽光発電パネル用架台２０の施工方法によって建築物１００の屋上に太陽光発電パネル用架台２０を施工した状態を示した図である。本実施態様の施工方法は、図１に示すように、建築物１００の屋上スラブ１１０の上面に太陽光発電パネル用架台２０を設置する太陽光発電パネル用架台設置工程と、建築物１００の屋上スラブ１１０の前後に所定間隔を隔てて設けられた一対の縦壁部１２０の間に突っ張り梁材３０を配する突っ張り梁材施工工程と、突っ張り梁材３０に対して太陽光発電パネル用架台２０における支柱２１を連結する支柱連結工程とを経ることにより、太陽光発電パネル用架台２０を建築物１００の屋上に施工するものとなっている。ここでは、太陽光発煙パネル用架台２０を南向きに施工する場合について説明する。したがって、図１並びに後述する図２及び図３においては、図面の左側が南側（前側）で、図面の右側が北側（後側）となっている。
【００２０】
また、本発明の施工方法で太陽光発電パネル用架台２０を施工する建築物１００は、通常、鉄筋コンクリート造の建築物であるが、他の構造の建築物であってもよい。すなわち、前後一対の縦壁部１２０が設けられているのであれば、木造や軽量鉄骨造の建築物などに対しても本発明の施工方法を採用することができる。ただし、建築物１００の強度などを考慮すると、建築物１００は、鉄筋コンクリート造である方が好ましい。また、建築物１００に前後一対の縦壁部１２０が予め設けられていない場合であっても、突っ張り梁材施工工程を行うよりも前に建築物１００に前後一対の縦壁部１２０を設けることにより、本発明の施工方法を採用することができる。しかし、建築物１００に元々設けられている縦壁部１２０を利用して施工を容易に行うことを考慮すると、前後一対の縦壁部１２０が予め設けられている建築物１００の方が好ましい。本実施態様の施工方法において、建築物１００は、鉄筋コンクリート造のビルとなっており、一対の縦壁部１２０は、ビルの屋上に設けられたパラペットとなっている。このため、以下においては、「建築物」を「ビル」と、「縦壁部」を「パラペット」と表記して説明する。
【００２１】
２．太陽光発電パネル用架台設置工程
太陽光発電パネル用架台設置工程は、図１に示すように、建築物１００の屋上スラブ１１０の上面に太陽光発電パネル用架台２０を設置する工程となっている。本実施態様の施工方法においては、太陽光発電パネル用架台設置工程を行った後、以下の突っ張り梁材施工工程を行うという順で説明しているが、この逆の順であってもよい。太陽光発電パネル用架台２０は、太陽光発電パネル１０を支持できるのであれば、その具体的な構造は特に限定されない。本実施態様の施工方法において、太陽光発電パネル用架台２０は、前後方向に所定間隔隔てて配された複数本の支柱２１と、支柱２１の上端部に対して傾斜した状態に固定されたフレーム２２と、支柱２１と支柱２１、又は支柱２１とフレーム２２を斜め方向に連結する筋交２３とで構成している。この太陽光発電パネル用架台２０は、太陽光発電パネル１０を支持する部分よりも下側に板状の風を遮るものが存在しないので、風の抵抗を受けにくい構造となっている。それぞれの支柱２１の下端部は、アンカーボルトなどを用いることなく、接着剤を用いて屋上スラブ１１０の上面に固定している（図１のＡ部）。このため、屋上スラブ１１０に穴が開けられず、建築物１００は雨漏りが生じにくくなっている。
【００２２】
このように、本発明の施工方法は、太陽光発電パネル用架台２０における支柱２１の下端部を屋上スラブ１１０に固定する際に屋上スラブ１１０に穴を開ける必要がないので、従来の施工方法と比較して、支柱２１の本数を多くしても、雨漏りが発生することがない。このため、本発明の施工方法は、従来の施工方法と比較して支柱２１の本数を多くすることが可能となっている。したがって、太陽光発電パネル用架台２０から屋上スラブ１１０に加えられる荷重を分散することや、太陽光発電パネル用架台２０と屋上スラブ１１０の固定箇所（支柱２１と屋上スラブ１１０の接着箇所）を多くして、より強い風を受けた場合でも太陽光発電パネル用架台２０が飛ばされないようにすることが可能となっている。本実施態様の施工方法において、支柱２１は、太陽光発電パネル用架台２０の前部と中間部と後部とに設けている。
【００２３】
３．突っ張り梁材施工工程
突っ張り梁材施工工程は、図１に示すように、前後一対のパラペット１２０の間に突っ張り梁材３０を配し、突っ張り梁材３０の前端部３１ａを前側のパラペット１２０の内面（後向き面）に当接させて、突っ張り梁材３０の後端部を後側のパラペット１２０の内面（前向き面）に当接させることにより、突っ張り梁材３０を前後一対のパラペット１２０の間で水平方向に突っ張った状態に施工する工程となっている。突っ張り梁材３０は、既に述べた通り、前後一対のパラペット１２０の間で突っ張った状態で固定できるものであれば、その具体的な構造は特に限定されない。本実施態様の施工方法において、突っ張り梁材３０は、その前端部３１ａが前側のパラペット１２０の内面に当接される第一梁材３１と、その後端部３２ａが後側のパラペット１２０の内面に当接される第二梁材３２と、第一梁材３１と第二梁材３２との間に介在された突っ張り梁材伸長手段３３とで構成されたものを用いている。第一梁材３１及び第二梁材３２としては、通常、金属製パイプやアングル鋼などが用いられる。突っ張り梁材伸長手段３３は、突っ張り梁材３３のいずれの区間に設けてもよい。図１の例では、太陽光発電パネル用架台２０の下側になる位置に突っ張り梁材伸長手段３３を設けているが、太陽光発電パネル用架台２０が突っ張り梁材伸長手段３３の操作に邪魔になるような場合には、図２に示すように、突っ張り梁材３０の後端部（又は前端部）など、太陽光発電パネル用架台２０の下側とならない区間に設けるとよい。図２は、本発明における他の実施態様の太陽光発電パネル用架台２０の施工方法によって建築物１００の屋上に太陽光発電パネル用架台２０を施工した状態を示した図である。図２では、第二梁材３２をベースプレートのみで形成している。
【００２４】
また、突っ張り梁材３０における突っ張り梁材伸長手段３３は、既に述べた通り、第一梁材３１及び第二梁材３２を相対的に前後に離反する方向に移動させることができるものであれば、その具体的な構造は特に限定されない。本実施態様の施工方法において、突っ張り梁材伸長手段３３は、第一梁材３１及び第二梁材３２に対して同軸に配されてその前端部を第一梁材３１の後端部に対して螺合されてその後端部を第二梁材３２の前端部に対して固定されたねじ部材と、該ねじ部材をその軸周りに回動操作するための操作部材とを備えたものを用いている。突っ張り梁材３０は、その全長が前後一対のパラペット１２０の隙間よりも僅かに短い状態で前記隙間に配した後、突っ張り梁材伸長手段３３を操作して第一梁材３１及び第二梁材３２を相対的に前後に離反する方向（図１の矢印Ｄの方向）に移動させて突っ張り梁材３０を伸長させ、前記隙間内で突っ張った状態となるように施工される。
【００２５】
本実施態様の施工方法において、第一梁材３１の前端部３１ａ及び第二梁材３２の後端部３２ａは、接着剤を用いてパラペット１２０に固定している（図１におけるＢ部）。第一梁材３１の前端部３１ａ及び第二梁材３２の後端部３２ａには、フランジ（ベースプレート）が設けられており、第一梁材３１及び第二梁材３２とパラペット１２０との接触面積を広くし、第一梁材３１及び第二梁材３２からパラペット１２０に加えられる突っ張り力を分散させることができるようになっている。これにより、パラペット１２０の変形や破損を防止することができる。また、第一梁材３１及び第二梁材３２とパラペット１２０との接着面積を広く確保することもできるので、第一梁材３１の前端部３１ａ及び第二梁材３２の後端部３２ａをパラペット２０に対してより強固に固定することも可能になる。さらに、第一梁材３１の前端部３１ａ及び第二梁材３２の後端部３２ａに設けられたフランジは、ボルトなどを用いて第一梁材３１の前端部３１ａ及び第二梁材３２の後端部３２ａをパラペット１２０に固定する場合にそのボルトを打ち込む部分としても利用することができる。
【００２６】
突っ張り梁材３０は、１台の太陽光発電パネル用架台２０に対して少なくとも１本施工すればよい。しかし、突っ張り梁材３０の施工本数が少ないと、施工後の太陽光発電パネル用架台２０が後方から強い風を受けた際に前側の支柱２１の下端部近傍を支点として発生するモーメント荷重に抗うことができなくなるおそれがある。このため、突っ張り梁材３０は、１５ｍ以下の間隔で複数本設けると好ましい。突っ張り梁材３０の間隔は、１０ｍ以下であるとより好ましい。一方、突っ張り梁材３０の間隔を狭くしすぎると、突っ張り梁材３０の使用本数が増大して、施工の手間が増大して工期が長くなり、施工コストが増大するおそれがある。このため、突っ張り梁材３０の間隔は、１ｍ以上であると好ましい。突っ張り梁材３０の間隔は、２ｍ以上であるとより好ましく、３ｍ以上であるとさらに好ましい。突っ張り梁材３０の間隔は、想定される風圧から必要な突っ張り力を構造計算によって求めることにより、適宜決定するとよい。
【００２７】
また、突っ張り梁材３０を支持する高さ（屋上スラブ１１０の上面から突っ張り梁材３０の中心軸までの高さ。以下同じ。）は、突っ張り梁材３０の長さ（前後一対のパラペット１２０の間隔）などによっても異なり、特に限定されない。しかし、突っ張り梁材３０をある程度高い位置で支持した方が、施工後の太陽光発電パネル用架台２０が後方から強い風を受けた際に前側の支柱２１の下端部近傍を支点として発生するモーメント荷重に対して抗いやすくなる。このため、突っ張り梁材３０を支持する高さは、通常、５ｃｍ以上とされる。突っ張り梁材３０を支持する高さは、１０ｃｍ以上であると好ましく、１５ｃｍ以上であるとより好ましく、２０ｃｍ以上であるとさらに好ましい。パラペット１２０に支持できる範囲、若しくは太陽光発電パネル用架台１２０の支柱２１に連結できる範囲であれば、突っ張り梁材３０を支持する高さに上限はないが、通常、１ｍ以下である。
【００２８】
４．支柱連結工程
支柱連結工程は、図１に示すように、突っ張り梁材施工工程で施工された突っ張り梁材３０に対して太陽光発電パネル用架台２０における支柱２１を連結（図１のＣ部で連結）する工程となっている。突っ張り梁材３０に対して支柱２１を連結する方法は特に限定されない。突っ張り梁材３０に対して支柱２１を連結する方法としては、ボルト留めや溶接などが例示される。突っ張り梁材３０は、太陽光発電パネル用架台２０の前後方向に並ぶいずれかの支柱２１に連結すればよいが、前後方向に並ぶ全ての支柱２１に対して連結すると好ましい。これにより、施工後の太陽光発電パネル用架台２０を、さらに風に対して強いものとすることができるだけでなく、突っ張り梁材３０の安定性を向上し、突っ張り梁材３０が前後一対のパラペット１２０の間で常に突っ張った状態を保ちやすくすることもできる。
【００２９】
このように、前後一対のパラペット１２０の間で水平方向に突っ張った状態で支持された突っ張り梁材３０に対して支柱２１を連結することにより、重量のあるコンクリート製の基礎などを用いなくても、施工後の太陽光発電パネル用架台２０を風に対して十分に強いものとすることができる。また、前後一対のパラペット１２０の間に突っ張り梁材３０を施工して、それに支柱２１を連結するだけでよいので、施工が容易であり、工期を短縮でき、施工コストを抑えることも可能である。
【００３０】
図３は、本発明におけるさらに別の実施態様の太陽光発電パネル用架台２０の施工方法によって建築物１００の屋上に太陽光発電パネル用架台２０を施工した状態を示した図である。図３の太陽光発電パネル用架台２０は、フレーム２２の前部を支持する前側の支柱２１が存在せず、フレーム２２の中間部を支持する支柱２１とフレーム２２の後部を支持する支柱２１のみが存在している。フレーム２２の前部は、支柱２１で支持する代わりに、突っ張り梁材３０に対して連結している。フレーム２２と突っ張り梁材３０との連結は、支柱２１と突っ張り梁材３０の連結と同様の方法を採用することができる。図３で示した太陽光発電パネル用架台２０の施工方法における他の構成については、図１や図２に示した太陽光発電パネル用架台２０の施工方法で採用した構成と同様であるため、説明を割愛する。本発明の施工方法は、このように支柱２１を適宜取り除くこともできる。
【００３１】
５．施工後の太陽光発電パネル用架台
施工後の太陽光発電パネル用架台２０の後方から風が吹き付けると、その風は、太陽光発電パネル１０の下面に当たり、太陽光発電パネル用架台２０には、その前側の支柱２１の下端部近傍を支点として太陽光発電パネル用架台２０の後側を浮き上がらせる向きにモーメント荷重が加わる。しかし、本発明の施工方法で施工された太陽光発電パネル用架台２０は、前後一対のパラペット１２０の間で水平方向に支持された突っ張り梁材３０に対して連結されており、前記モーメント荷重が加わった際には、突っ張り梁材３０の前端部３１ａから後向きに反力が加わるようになっている。加えて、突っ張り梁材３０は、前後一対のパラペット１２０の隙間で突っ張った状態となっており、その隙間から脱落しないようになっている。このため、そのような風を受けても、太陽光発電パネル用架台２０はその後側が浮き上がることがなく、元の位置に留まったままの状態を保ち続けることができる。
【００３２】
また、施工後の太陽光発電パネル用架台２０の前方から風が吹き付けた際には、その風は、太陽光発電パネル１０の上面に当たり、太陽光発電パネル用架台２０には、下側に押さえ付ける向きに力が加わる。このため、前方から風が吹き付けた場合であっても、太陽光発電パネル用架台２０が浮き上がることはない。さらに、施工後の太陽光発電パネル用架台２０の側方から風が吹き付けた際には、その風は、太陽光発電パネル１０の下側をそのまま通り抜けるようになっており、太陽光発電パネル用架台２０には、揚力が生じない。このため、側方から風が吹き付けた場合であっても、太陽光発電パネル用架台２０が浮き上がることがない。このように、本発明の施工方法で施工された太陽光発電パネル用架台は、後方からの風に対してだけでなく、いずれの方向からの風に対しても浮き上がることがなく、施工面に定着したままの状態を保ち続けることができるようになっている。本実施態様の施工方法においては、突っ張り梁材３０を、太陽光発電パネル用架台２０の前後方向にのみ設けたが、必要であれば、図４に示すように、太陽光発電パネル用架台２０の左右方向に設けてもよい。図４は、本発明の太陽光発電パネル用架台２０の施工方法において、前後方向以外にも突っ張り用梁材３０を配した例を示した平面図である。これにより、側方やねじれ方向から強い風を受けても、太陽光発電パネル用架台２０をさらに浮き上がりにくくして、施工後の太陽光発電パネル用架台２０の耐風圧性をさらに高めることができる。
【符号の説明】
【００３３】
１０    太陽光発電パネル
２０    太陽光発電パネル用架台
２１    支柱
２２    フレーム
２３    筋交
２４    基礎
２５    アンカーボルト
２６    アンカーボルト
３０    突っ張り梁材
３１    第一梁材
３１ａ  前端部
３２    第二梁材
３２ａ  後端部
３３    突っ張り梁材伸長手段
１００    ビル（建築物）
１１０    屋上スラブ
１２０    パラペット（縦壁部）
【図１】
2014025210.tif 000003
【図２】
2014025210.tif 000004
【図３】
2014025210.tif 000005
【図４】
2014025210.tif 000006
【図５】
2014025210.tif 000007
【図６】
2014025210.tif 000008
【図７】
2014025210.tif 000009